(57)【要約】      （修正有）【課題】表示灯付き標識コーンを相互に重合させるのに適した標識コーンの表示灯装置を提供する。【解決手段】標識コーンの表示灯装置として、標識コーンの上端部寄り外周面１３に沿って被せられる薄板筒状のカバー材２１を有しているとともに、該カバー材２１内の上部寄り位置に、該カバー材２１の外径より外方にはみ出ない大きさの表示灯２２を取付けている。【選択図】図２
0003171779.tif 000002
【実用新案登録請求の範囲】
【請求項１】
標識コーン（１）の上端部に装着される表示灯装置（２）であって、
上記標識コーン（１）の上端部寄り外周面（１３）に沿って被せられる薄板筒状のカバー材（２１）を有しているとともに、
上記カバー材（２１）内の上部寄り位置に、該カバー材（２１）の外径より外方にはみ出ない大きさの表示灯（２２）を取付けている、
ことを特徴とする標識コーンの表示灯装置。
【考案の詳細な説明】
【技術分野】
【０００１】
本願考案は、標識コーンの上端部に取付ける表示灯装置に関するものである。
【背景技術】
【０００２】
工事現場などでは、通行人等に対して危険区域であることを知らすのに標識コーン（いわゆるカラーコーン）が多用されている。
【０００３】
ところで、夜間やトンネル内等の暗所では、カラーコーンであっても見えにくくなるので、該コーンの先端部に表示灯を装備して、暗所でも発光により危険区域であることをわかるようにしたものがある。
【０００４】
この種の表示灯付き標識コーンの一例として、図４に示すものがある。この図４の表示灯付き標識コーンＢは、円錐形コーン１０１の先側を若干高さだけ切除してそのコーン先端部１１３に穴１１４を形成し、その穴１１４に表示灯１０２を装着したものである。尚、コーン１０１の内部は、空洞となっている。
【０００５】
図４で使用されている表示灯１０２は、下部側にコーン先端部１１３の穴１１４に差し込まれる棒状部１２１を有しているとともに、上部側に所定厚さの円形の発光部１２２を有している。発光部１２２は、コーン先端部１１３の外径Ｄより外側にはみ出す大きさＷを有している。又、該発光部１２２は、コーン先端部１１３からかなりの高さだけ上方に突出している。
【０００６】
そして、図４の表示灯付き標識コーンＢは、夜間において発光部１２２を発光させることにより、その付近が危険区域であることを認知させ得る機能がある。
【０００７】
ところで、この種の表示灯付き標識コーンＢは、道路のような工事現場では多数個を並置して使用する関係で、工事現場には一度に多数個の標識コーンを搬送する必要がある。
【０００８】
その場合、表示灯の無いコーンだけのものでは、該各コーンを複数個重合させることによりコンパクトに集約できるので、運搬効率がよくなる（１台の運搬車に多数個のコーンを積載できる）が、図４に示す表示灯付き標識コーンＢでは、コーン１０１上部の表示灯発光部１２２の外径Ｗがコーン上端部１１３の外径Ｄよりかなり大径であるので、図５に示すように複数個を重合させようとすると両表示灯付き標識コーンＢ，Ｂ同士をうまく重合させることができない。
【０００９】
即ち、図５に示すように、１つの表示灯付き標識コーンＢの上に別の表示灯付き標識コーンＢ′を重合させようとすると、所定重合深さ状態で上側コーン１０１′の内面が下側コーン１０１の表示灯発光部１２２の外面に衝合するようになる。そして、この場合は、両表示灯付き標識コーンＢ，Ｂ′の重合深さが浅くなってコンパクト化の程度が低くなる一方、重合状態で両表示灯付き標識コーンＢ，Ｂ′が相互にグラつくので取り扱いが不便であるという問題がある。
【００１０】
又、図４の表示灯付き標識コーンＢでは、図５に示すように上下の各表示灯付き標識コーンＢ，Ｂ′を強く重合させると、下側の表示灯付き標識コーンＢの表示灯発光部１２２に上側のコーン１０１′の内面が強く衝突して該発光部１２２が損傷する虞れが生じるという問題もある。
【００１１】
尚、表示灯付き標識コーンＢを運搬する際に、表示灯１０２を分離した状態で各コーン１０１部分を重合させることも考えられるが、その場合は、運搬（重合作業時）及び現場設置時に各表示灯１０２をコーン１０１に対して取外し及び再装着させる作業がそれぞれ必要になるので面倒であり、実際には表示灯付き標識コーンの状態で取り扱われているのが現状である。
【考案の概要】
【考案が解決しようとする課題】
【００１２】
そこで、本願考案は、表示灯付き標識コーンの状態で、該両表示灯付き標識コーンを相互に重合させるのに適した構成の標識コーンの表示灯装置を提供することを目的としてなされたものである。
【課題を解決するための手段】
【００１３】
本願考案は、上記課題を解決するための手段として次の構成を有している。尚、本願考案は、標識コーンの上端部に装着される表示灯装置を対象にしたものである。
【００１４】
そして、本願考案の標識コーンの表示灯装置は、標識コーンの上端部寄り外周面に沿って被せられる薄板筒状のカバー材を有しているとともに、該カバー材内の上部寄り位置に、該カバー材の外径より外方にはみ出ない大きさの表示灯を取付けたものである。
【００１５】
尚、本願の考案の名称は「標識コーンの表示灯装置」であるが、以下の説明では単に「表示灯装置」ということがある。又、以下の説明では、上記「標識コーン」のことを単に「コーン」と表現することがある。
【００１６】
本願で使用されるコーンは、大径の台部上に先細形状の円錐部を一体成形したものである。尚、コーン内部は空洞となっている。
【００１７】
本願の表示灯装置では、カバー材として、コーンの上端部寄り外周面に沿って被せられる薄板筒状のものを採用しているので、該カバー材をコーンの上端部寄り外周面に被せても、該カバー材によるコーン上部の外径増大幅は微々たるものである。尚、このカバー材は、合成樹脂製で、光が透過するものである。
【００１８】
カバー材に取付けられる表示灯としては、電源として例えばソーラーパネルで発電するものを採用できるが、電池式のものでもよい。
【００１９】
この表示灯は、カバー材内の上部寄り位置に取付けているが、該表示灯の取付状態では、該表示灯がカバー材の外径より外方にはみ出さないように位置している。従って、表示灯は、その側周囲全体がカバー材の上部寄り筒部でガードされている。
【００２０】
本願考案の表示灯装置は、工事現場等に設置される標識コーンの上端部に装着し、夜間やトンネル内の暗所において表示灯を発光させることにより、通行人等に対して危険区域の存在を認知させることができるものである。
【００２１】
ところで、この表示灯装置は、標識コーンの上端部にセットした状態（表示灯付き標識コーンの状態）で取り扱うことが便利である。他方、道路のような工事現場では、表示灯付き標識コーンを多数個並置して使用する関係で、工事現場には一度に多数個の表示灯付き標識コーンを搬送する必要がある。その場合、各表示灯付き標識コーンは、コーン部分を重合させるとコンパクトに集約できるので、運搬効率がよくなる。
【００２２】
そこで、本願考案の表示灯装置では、カバー材をコーン上端部に被せたときにコーン上端寄り部分の外径はごく僅かしか大きくならないので、２つの表示灯付き標識コーンを重合させたときに、下側の表示灯付き標識コーンを上側の表示灯付き標識コーンに対して深い位置まで差込むことができる。
【００２３】
又、本願発明の表示灯装置では、表示灯がカバー材でガードされているので、２つの表示灯付き標識コーンを重合させたときに、内側の表示灯付き標識コーンの表示灯が外側の表示灯付き標識コーンのコーン内面に直接干渉することがない。
【考案の効果】
【００２４】
上記のように、本願考案の表示灯装置は、コーン先端部に被せて使用されるものであるが、その装着状態では、該表示灯装置によるコーン先端部の外径増大幅が微々たるものである。
【００２５】
そして、この表示灯装置をコーンにセットした状態（表示灯付き標識コーン）で、２つの表示灯付き標識コーンを重合させたときには、両表示灯付き標識コーン同士を相互にかなり深い位置まで重合させることができるとともに、両表示灯付き標識コーンを重合させた状態では、外側コーンの内面と内側コーンの外面とがかなり近接しているので、内外両コーンが相互にグラつきにくい。
【００２６】
従って、例えば５個程度の表示灯付き標識コーンをコンパクトに１列状態で重合させることができるとともに、その重合姿勢が安定しているので、一度に多数個（例えば５個程度）の表示灯付き標識コーンを重合させた状態で運搬車に積み込むことができる。つまり、搬送効率が良好となるとともに搬送し易い形態にできるという効果がある。
【００２７】
又、表示灯がカバー材でガードされているので、２つの表示灯付き標識コーンを重合させたときに、内側の表示灯付き標識コーンの表示灯が外側の表示灯付き標識コーンのコーン内面に直接干渉することがないので、該表示灯を保護できるという効果もある。
【図面の簡単な説明】
【００２８】
【図１】本願実施例の表示灯装置をコーン上端部に装着した状態（表示灯付き標識コーン）の側面図である。
【図２】図１のII−II拡大断面図である。
【図３】図１の表示灯付き標識コーンを５個重合させた状態の側面図である。
【図４】従来の表示灯付き標識コーンの側面図である。
【図５】図４の表示灯付き標識コーンを重合させる場合の説明図である。
【考案を実施するための形態】
【００２９】
［実施例］
以下、図１〜図３を参照して本願実施例の標識コーンの表示灯装置を説明すると、この実施例の表示灯装置２は、図１及び図２に示すように標識コーン１の上端寄り部分に被せて使用されるものである。尚、本願の実施例においても、本願の「標識コーンの表示灯装置」を単に「表示灯装置」といい、上記「標識コーン」のことを単に「コーン」と表現することがある。
【００３０】
この実施例で使用されるコーン１は、図１に示すような一般的なものであって、四角形の台部１１の中心部に先細形状の円錐部１２を一体成形したものである。コーン１の内部は空洞となっている。
【００３１】
この実施例の表示灯装置２は、図１及び図２に示すように、コーン１の上端部寄り外周面１３に被せられるカバー材２１内の上部寄り位置に表示灯２２を取付けて構成されている。
【００３２】
カバー材２１は、コーン円錐部１２の上端寄り外周面１３に沿って被せられる形状（テーパー状）で、薄板筒状に形成されたものである。このカバー材２１は、合成樹脂製で、光が透過するものである。尚、このカバー材２１としては、透明の方が光の透過率がよいが、光を透過できるものであれば透明でなくてもよい（例えば乳白色のものでもよい）。
【００３３】
そして、このカバー材２１は、図２に示すようにコーン円錐部１２の上端寄り外周面１３に被せた状態では、カバー材２１の内面がコーン上端部寄り外周面１３に対してほぼ密接状態で接合するようになっている。従って、カバー材２１をコーン上部に被せた状態では、該カバー材２１の装着状態は安定しているとともに、カバー材２１によるコーン上部の外径増大幅は微々たるものとなる。
【００３４】
カバー材２１に取付けた表示灯２２は、この実施例では、図２に示すように有底円筒形のケース体２３内に、ソーラーパネル２４と蓄電池２５と基盤２６と電球２７とを設置したものである。
【００３５】
表示灯２２を収容するケース体２３は、合成樹脂製で剛性のあるものである。又、このケース体２３は透明なものがよいが、光を透過し得るものであれば乳白色のものでも採用可能である。
【００３６】
このケース体２３は、その上部開口縁（フランジ）をカバー材２１の上部開口縁に係止した状態で、ケース体下部側をカバー材２１内に収容させている。この実施例では、カバー材２１の上端部にケース体２３の上部開口縁（フランジ）が位置しているが、このケース体２３の上部開口縁（フランジ）は、剛性の高いものであって、他の部材と強く衝合しても容易に変形するものではない。尚、ケース体２３の上部開口縁とカバー材２１の上部開口縁とは、接着剤で接着させてもよい。
【００３７】
ケース体２３の上部開口部分には、円形のソーラーパネル２４が取付けられている。尚、このソーラーパネル２４は、ケース体２３の上部開口部分の高さより上側にはみ出さないように取付けられている。
【００３８】
そして、この表示灯２２では、昼間においてソーラーパネル２４で発電された電力を蓄電池２５に蓄電するとともに、その蓄電した電力で夜間に電球２７を発光させ得るようにしている。
【００３９】
電球２７には、消費電力の少ないＬＥＤ電球を使用している。又、この実施例では、４個のＬＥＤ電球２７を角度９０°間隔をもって四方に向けて設置している。
【００４０】
ケース体２３の側面にはスイッチ２８が設けられている。このスイッチ２８は、カバー材２１の切欠部分から外方に臨ませており、該カバー材２１の外側からＯＮ・ＯＦＦ操作できるようになっている。尚、この表示灯装置２の使用状態（コーン上部にセットした状態）では、該スイッチ２８をＯＮにしておくが、昼間の明るいときには電球２７は消灯しており、夕方以降の所定明るさ以下になったときに、自動的に電球２７を点灯させるように制御される。
【００４１】
この実施例の表示灯装置２は、図１に示すように、カバー材２１部分をコーン１の上端部寄り外周面１３に被せた表示灯付き標識コーンＡの状態で取り扱われる。そして、カバー材２１をコーン１の上端部寄り外周面１３に被せた状態では、カバー材２１が薄板筒状であるので、該カバー材２１によるコーン上部の外径増大幅は微々たるものである。尚、この表示灯装置２は、図１に鎖線図示（符号２′）するように必要に応じてコーン上端部から取外すことができるようになっている。
【００４２】
又、表示灯装置２における表示灯２２の主要部分（ソーラーパネル２４、蓄電池２５、基盤２６、電球２７等）は、ケース体２３内に収容され且つ該ケース体２３がカバー材２１内の上部寄り位置に収容されているので、該表示灯２２はケース体２３及びカバー材２１でガードされている。
【００４３】
ところで、この表示灯装置２は、コーン１の上端部にセットした状態（表示灯付き標識コーンＡの状態）で取り扱うことが便利である。他方、道路のような工事現場では、表示灯付き標識コーンＡを多数個並置して使用する関係で、工事現場には一度に多数個の表示灯付き標識コーンＡを搬送する必要がある。その場合、各表示灯付き標識コーンＡは、図３に示すように、コーンの円錐部１２同士を順次重合させるとコンパクトに集約できるので、運搬効率がよくなる。
【００４４】
そして、この表示灯装置２を装着したコーン１（表示灯付き標識コーンＡ）では、カバー材２１をコーン上端部に被せたときに該コーン上端寄り部分の外径はごく僅かしか大きくならないので、２つの表示灯付き標識コーンＡ，Ａを重合させたときに、下側の表示灯付き標識コーンＡを上側の表示灯付き標識コーンＡに対して深い位置まで差込むことができる。このように、両表示灯付き標識コーンＡ，Ａを深い位置まで差込むと、その重合状態がコンパクトになる。尚、多数個（例えば図３に示す５個程度）の表示灯付き標識コーンＡ，Ａ・・を重合させる場合もそれぞれ各コーンを深い位置まで差込むことができる。
【００４５】
従って、各表示灯付き標識コーンＡ，Ａ・・を順次重合させると、全体個数をコンパクトに集約できる。
【００４６】
尚、図３に示す重合例では、内側（下側）の表示灯付き標識コーンＡにおける表示灯装置２の上端部が外側（上側）の表示灯付き標識コーンＡのコーン内面（円錐部１２内面）に衝突しないように、上下コーン１，１の各台部１１，１１間にそれぞれスペーサＳを介在させているが、他の重合例では、各スペーサＳをを使用しないで各表示灯付き標識コーンＡ，Ａ・・を重合させるようにしてもよい。尚、図３で使用しているスペーサＳは、コーン１の重りを使用することができる。
【００４７】
又、この実施例の表示灯装置２を装備した表示灯付き標識コーンＡでは、コーン上端寄り部分の外径はごく僅かしか大きくならないので、各表示灯付き標識コーンＡ，Ａの重合状態（図３）において、内側コーンの円錐部１２外面と外側コーンの円錐部１２内面とが近接し、その結果、内外の両コーン１，１が相互にグラつきにくくなる（重合姿勢が安定する）。
【００４８】
又、この実施例の表示灯装置２では、表示灯２２部分がケース体２３及びカバー材２１でガードされているので、２つの表示灯付き標識コーンＡ，Ａを重合させたときに、内側の表示灯付き標識コーンの表示灯２２が外側の表示灯付き標識コーンのコーン内面に直接干渉することがなく、もし両表示灯付き標識コーンＡ，Ａの重合時に手荒く扱っても、表示灯２２部分が破損することはない。
【符号の説明】
【００４９】
１は標識コーン、２は表示灯装置、１１はコーンの台部、１２はコーンの円錐部、１３はコーンの上端部寄り外周面、２１はカバー材、２２は表示灯、２３はケース体、Ａは表示灯付き標識コーンである。
【図１】
0003171779.tif 000003
【図２】
0003171779.tif 000004
【図３】
0003171779.tif 000005
【図４】
0003171779.tif 000006
【図５】
0003171779.tif 000007